(57)【特許請求の範囲】
【請求項１】
遊技機の遊技盤に設けられた演出用役物装置であって、
駆動源に連結して配置され、前記駆動源の駆動に起因して回転する歯車と、
前記歯車に噛合して配置され、前記歯車を挟んで互いに対向して配置され、前記歯車の回転に連動して互いに逆方向に往復移動する二つのラックギアと、
二つの前記ラックギアの往復移動に連動して前記遊技盤の盤面上を互いに離接可能に移動する二つの装飾片を具備する装飾部と、を少なくとも備え、
二つの前記ラックギアの夫々には、前記歯車に噛合する第１の噛合部に加えて、前記第１の噛合部と同方向に沿って配置されるとともに、前記第１の噛合部に対して直交して配置され、二つの前記装飾片の何れか一方に係合する第２の噛合部を具備し、
前記装飾部は、一端が前記第２の噛合部に噛合して配置され、他端が前記装飾片に連結して配置され、前記ラックギアの往復移動に連動して前記一端を軸に前記他端が往復移動可能なリンク部材を有すること、
を特徴とする演出用役物装置。
【請求項２】
二つの前記ラックギアの夫々には、前記第２の噛合部が目視可能な開口部が形成されること、
を特徴とする請求項１記載の演出用役物装置。
【発明の詳細な説明】
【技術分野】
【０００１】
本発明は、遊技機の遊技盤に設けられ、遊技を演出するための演出用役物装置に関する。
【背景技術】
【０００２】
従来、遊技機の遊技盤面には、演出用役物と称される装飾部を備えた演出用役物装置が配置されている。この演出用役物装置には、例えば、装飾部を構成する複数の装飾片を離接可能に設け、遊技状況に応じて複数の装飾片を離したり、近づけたりすることで、遊技性を向上させるものが知られている。
【０００３】
このように、遊技状況に応じて装飾片を離したり、近づけたりすることで、遊技性を向上させるものとして、例えば、特許文献１には、装飾片を支持する揺動部材が互いに離接可能に設けられた遊技機の役物装置が開示されている。
【先行技術文献】
【特許文献】
【０００４】
【特許文献１】特開２００７−３７７１４号公報
【発明の概要】
【発明が解決しようとする課題】
【０００５】
ところで、上記特許文献１は、装飾片を離したり、近づけたりするために、ステッピングモータの動力を回転カム、カムフォロア及び連結機構を介して一方の揺動部材から他方の揺動部材に伝達している。
【０００６】
このように、上記特許文献１では、二つの揺動部材のうち、一方の揺動部材にステッピングモータを設けているため、一方の揺動部材と他方の揺動部材とにはステッピングモータの動力が均一に伝達していない。このため、上記特許文献１では、二つの揺動部材の可動するタイミングにバラつきが生じてしまうといる技術的課題がある。
【０００７】
本発明の目的は、上記従来の実状を鑑みて、装飾部を構成する複数の装飾片に駆動源の動力を均一に伝達することで、複数の装飾片の可動するタイミングのバラつきを抑えることが可能な演出用役物装置を提供することにある。
【課題を解決するための手段】
【０００８】
上記課題を解決するために、本発明に係る演出用役物装置は、遊技機の遊技盤に設けられ、駆動源に連結して配置され、上記駆動源の駆動に起因して回転する歯車と、上記歯車に噛合して配置され、上記歯車を挟んで互いに対向して配置され、上記歯車の回転に連動して互いに逆方向に往復移動する二つのラックギアと、二つの上記ラックギアの往復移動に連動して上記遊技盤の盤面上を互いに離接可能に移動する二つの装飾片を具備する装飾部と、を少なくとも備え、二つの上記ラックギアの夫々には、上記歯車に噛合する第１の噛合部に加えて、上記第１の噛合部と同方向に沿って配置されるとともに、上記第１の噛合部に対して直交して配置され、二つの上記装飾片の何れか一方に係合する第２の噛合部を具備し、上記装飾部は、一端が上記第２の噛合部に噛合して配置され、他端が上記装飾片に連結して配置され、上記ラックギアの往復移動に連動して上記一端を軸に上記他端が往復移動可能なリンク部材を有して構成されている。
【０００９】
また、上記課題を解決するために、本発明に係る演出用役物装置の二つの上記ラックギアの夫々には、上記第２の噛合部が目視可能な開口部が形成されている。
【発明の効果】
【００１１】
本発明によれば、装飾部を構成する複数の装飾片に駆動源の動力を均一に伝達することで、複数の装飾片の可動するタイミングのバラつきを抑えることが可能な演出用役物装置を提供するができる。
【図面の簡単な説明】
【００１２】
【図１Ａ】本発明の一実施の形態である演出用役物装置を備えた遊技盤の第１の状態の構成を模式的に示す正面図である。
【図１Ｂ】本発明の一実施の形態である演出用役物装置を備えた遊技盤の第２の状態の構成を模式的に示す正面図である。
【図２】本発明の一実施の形態である演出用役物装置の正面側の構成を模式的に示す正面図である。
【図３】本発明の一実施の形態である演出用役物装置の背面側の構成を模式的に示す背面図である。
【図４】本発明の一実施の形態である演出用役物装置の構成を正面側から模式的に示す斜視図である。
【図５Ａ】本発明の一実施の形態である演出用役物装置の内部構成の第１の状態を正面側から模式的に示す斜視図である。
【図５Ｂ】本発明の一実施の形態である演出用役物装置の内部構成の第１の状態と第２の状態との間の状態を正面側から模式的に示す斜視図である。
【図５Ｃ】本発明の一実施の形態である演出用役物装置の内部構成の第２の状態を正面側から模式的に示す斜視図である。
【図６】本発明の一実施の形態である演出用役物装置の内部構成の一部を背面側から模式的に示す斜視図である。
【図７】図５ＡにおけるＡ部を拡大して示す拡大斜視図である。
【図８】図５ＡにおけるＢ部を拡大して示す拡大斜視図である。
【発明を実施するための形態】
【００１３】
以下、図面を参照しながら、本発明の実施の形態について詳細に説明する。なお、遊技機には、例えば、パチンコ遊技機、アレンジボール機又は雀球遊技機等があるが、本発明の実施の形態１では、一例として、パチンコ遊技機に基づいて説明する。
【００１４】
まず、本発明の一実施の形態である遊技機の遊技盤１００に係る構成について図１Ａ及び図１Ｂを用いて説明する。図１Ａは、本発明の一実施の形態である演出用役物装置１０を備えた遊技盤の第１の状態の構成を模式的に示す正面図であり、図１Ｂは、本発明の一実施の形態である演出用役物装置を備えた遊技盤の第２の状態の構成を模式的に示す正面図である。
【００１５】
図１Ａ及び図１Ｂに例示されるように、本実施の形態において、遊技機は、入賞装置、風車、障害釘等の遊技部品が配置された遊技領域１０１を有する遊技盤１００を備えて構成されている。
【００１６】
遊技盤１００は、遊技機を遊技場に設置する際、設置面に対して略垂直に立設するようにして図示しない遊技盤保持枠に固定されている。すなわち、遊技盤１００の表面（以下、遊技面１０２という。）は、図示しない透過部材を介して遊技者に対面するように配置されている。
【００１７】
本実施の形態において、遊技盤１００は、木材等を用いて平板状に形成され、上述したように、遊技面１０２に入賞装置、風車、障害釘等の遊技部品を配設してなる遊技領域１０１を有して構成されている。
【００１８】
遊技面１０２には、図示しない発射装置により発射された遊技球を遊技領域１０１に案内する役目を果たし、遊技領域１０１を囲うように、遊技面１０２に対して垂直に起立して配置された帯状の外ガイドレール１０３が設けられている。
【００１９】
外ガイドレール１０３は、遊技面１０２を正面視すると左側下方から右側上方にかけて遊技領域１０１を囲うように配置されている。具体的には、外ガイドレール１０３の一端１０３ａが、遊技面１０２を正面視すると左側下方に配置され、他端１０３ｂが、遊技面１０２の右側上方に配置されている。そして、外ガイドレール１０３は、外ガイドレール１０３を可撓させて一端１０３ａから他端１０３ｂまで円弧を描くように湾曲して配置されている。
【００２０】
本実施の形態において、外ガイドレール１０３の材質は、プラスチック製素材を用いて形成されている。なお、外ガイドレール１０３の材質は、プラスチック製素材に限定されず、例えば、金属性素材等を用いて形成しても良い。
【００２１】
外ガイドレール１０３の他端１０３ｂの近傍には、遊技面１０２を飾りつける飾り部材１０４が配置されている。この飾り部材１０４は、遊技面１０２を正面視すると上方から下方に向かって遊技面１０２に対して垂直に起立する起立面１０４ａを有して構成されている。
【００２２】
飾り部材１０４の起立面１０４ａは、この起立面１０４ａの上方に位置する外ガイドレール１０３の他端１０３ｂに連設して配置されている。そして、飾り部材１０４の起立面１０４ａの高さは、外ガイドレール１０３の起立高さと同じ高さで形成されている。すなわち、飾り部材１０４の起立面１０４ａは、外ガイドレール１０３と同様に、遊技領域１０１を囲うように配置されている。
【００２３】
飾り部材１０４の下方には、遊技状況を表示する表示装置１０５が配置されている。表示装置１０５は、遊技面１０２から突出して配置されており、遊技面１０２を正面視すると右側から中心側に向けて下方に傾斜させた直線状の傾斜面１０６を有して構成されている。
【００２４】
表示装置１０５の傾斜面１０６は、この傾斜面１０６の他端１０６ａが、遊技面１０２を正面視すると傾斜面１０６の右側に位置する表示装置１０５の飾り部材１０４の図示しない他端に連設して配置されている。
【００２５】
一方、傾斜面１０６の一端１０６ｂが、後述する内ガイドレール１０７の一端１０７ａに連接して配置されている。そして、傾斜面１０６の高さは、起立面１０４ａの起立高さと同じ高さで形成されている。すなわち、傾斜面１０６は、起立面１０４ａと同様に、遊技領域１０１を囲うように配置されている。
【００２６】
なお、本実施の形態において、表示装置１０５の位置については、遊技面１０２を正面視すると右側下方に配置されているが、この位置に限定されず、例えば、中央下方等に配置しても良い。この場合、表示装置１０５の傾斜面１０６の代わりに、第２の飾り部材を設け、この第２の飾り部材は、表示装置１０５と同様に、傾斜面を有して構成されている。
【００２７】
また、遊技面１０２には、外ガイドレール１０３と共に、図示しない発射装置により発射された遊技球を遊技領域１０１に案内する役目を果たし、外ガイドレール１０３と同様に、遊技領域１０１を囲うように、遊技面１０２に対して垂直に起立して配置された帯状の内ガイドレール１０７が設けられている。
【００２８】
本実施の形態において、内ガイドレール１０７の材質も、内ガイドレール１０７の材質と同様に、プラスチック製素材を用いて形成されている。なお、内ガイドレール１０７の材質も、プラスチック製素材に限定されず、例えば、金属性素材等を用いて形成しても良い。
【００２９】
内ガイドレール１０７は、遊技面１０２を正面視すると、外ガイドレール１０３の内側に配置され、中央下方から左側上方にかけて遊技領域１０１を囲うように配置されている。具体的には、内ガイドレール１０７の一端１０７ａが、遊技面１０２を正面視すると中央下方に配置され、他端１０７ｂが遊技面１０２の左側上方に配置されている。そして、内ガイドレール１０７は、内ガイドレール１０７を可撓させて一端１０７ａから他端１０７ｂまで円弧を描くように湾曲して配置されている。
【００３０】
内ガイドレール１０７は、上述したように、内ガイドレール１０７の一端１０７ａが、遊技領域１０１を正面視すると中央下方に配置されているが、この一端１０７ａは、遊技面１０２の軸よりも右側に配置されており、一端１０７ａから遊技面１０２の軸に向かって下方に傾斜しながら時計回り方向に緩やかに湾曲して配置されている。
【００３１】
すなわち、内ガイドレール１０７は、遊技面１０２の軸上において、最も下方に位置すると共に、この位置から他端１０７ｂに向かって上方に傾斜しながら時計回り方向に緩やかに湾曲して配置されている。
【００３２】
このように、外ガイドレール１０３の内側に内ガイドレール１０７が配置され、これら外ガイドレール１０３及び内ガイドレール１０７は、所定の間隔を保って互いに対向して配置されている。そして、外ガイドレール１０３及び内ガイドレール１０７の間には、遊技球が通過可能なガイド通路１０８が区画されている。
【００３３】
ガイド通路１０８は、上述したように、外ガイドレール１０３及び内ガイドレール１０７の間に区画されている。そして、ガイド通路１０８は、図示しない接続通路を介して図示しない発射装置に連接されている。
【００３４】
すなわち、ガイド通路１０８は、発射装置により発射された遊技球が接続通路を通過した後、ガイド通路１０８を通過することで、遊技球が遊技面１０２の左側下方から左側上方に向かって飛び出すように区画されている。
【００３５】
このように、遊技面１０２には、外ガイドレール１０３、飾り部材１０４、表示装置１０５、内ガイドレール１０７が連続して、互いに連接して配置されることで、ガイド通路１０８及び遊技領域１０１が隣接した状態で囲繞形成されている。
【００３６】
遊技領域１０１には、遊技の演出を行う演出装置が配置されている。具体的には、遊技領域１０１の中央部分には、液晶表示器（ＬＣＤ）等からなる図示しない液晶表示装置が配置されている。
【００３７】
そして、液晶表示装置の周辺には、液晶表示装置を囲うように複数の演出用役物装置が配置されている。本実施の形態において、これら複数の演出用役物装置のうち、液晶表示装置の上方に配置された演出用役物装置１０は、装飾部１１を構成する左右の装飾片１１Ｌ、装飾片１１Ｒを遊技盤１００の中央に配した状態、すなわち、初期位置である第１の状態と、この第１の状態から遊技盤１００の左右に分割して配した第２の状態とに移動可能に支持して構成されている。また、この演出用役物装置１０は、第１の状態及び第２の状態に限定されず、例えば、第１の状態と第２の状態との間の位置で停止させることも可能である。
【００３８】
以下、本実施の形態の演出用役物装置１０の構成について、図２〜図４を用いて説明する。図２は、本発明の一実施の形態である演出用役物装置の正面側の構成を模式的に示す正面図であり、図３は、本発明の一実施の形態である演出用役物装置の背面側の構成を模式的に示す背面図である。図４は、本発明の一実施の形態である演出用役物装置の構成を正面側から模式的に示す斜視図である。
【００３９】
図２〜図４に例示されるように、本実施の形態の演出用役物装置１０は、モータ１２の駆動軸に連結して配置され、モータ（駆動源）１２の駆動に起因して回転する歯車１３と、この歯車１３に噛合して配置され、歯車１３の回転に連動して往復移動する往復動機構１５と、この往復動機構１５の往復移動に連動して遊技盤１００の盤面上を互いに離接可能に移動する装飾片１１Ｌ及び装飾片１１Ｒを有する装飾部１１と、を具備して構成されている。
【００４０】
これら演出用役物装置１０を構成するモータ１２、歯車１３、往復動機構１５及び装飾部１１は、ケース体１４に設けられている。ケース体１４は、遊技盤１００を正面視すると、遊技盤１００の左右方向を長手辺として略矩形状をなして形成されている。
【００４１】
ケース体１４に設けられたモータ１２、歯車１３、往復動機構１５及び装飾部１１のうち、モータ１２は、ケース体１４の表面側に設けられている。具体的には、モータ１２は、モータ１２の駆動軸をケース体１４の図示しない孔に挿通させてケース体１４の裏面側に突出させた状態でケース体１４に設けられている。そして、モータ１２は、ケース体１４を正面視すると、ケース体１４の左方に配置されている。
【００４２】
ケース体１４の表面側から裏面側に突出したモータ１２の駆動軸には、歯車１３が連結されている。歯車１３は、ケース体１４の裏面側に設けられ、ケース体１４を正面視すると、ケース体１４の左方に配置されている。
【００４３】
すなわち、モータ１２と歯車１３とは、ケース体１４を挟んで互いに対向して配置されている。そして、この歯車１３には、往復動機構１５が噛合して配置されている。
【００４４】
次に、本実施の形態の主たる構成である往復動機構１５を構成する第１のラックギヤ２０及び第２のラックギヤ４０、これら第１のラックギヤ２０及び第２のラックギヤ４０に噛合して配置されたリンク部材３０及びリンク部材５０について、図５Ａ、図５Ｂ、図５Ｃ、図６、図７及び図８を用いて説明する。
【００４５】
図５Ａは、本発明の一実施の形態である演出用役物装置の内部構成の第１の状態を正面側から模式的に示す斜視図であり、図５Ｂは、本発明の一実施の形態である演出用役物装置の内部構成の第１の状態と第２の状態との間の状態を正面側から模式的に示す斜視図であり、図５Ｃは、本発明の一実施の形態である演出用役物装置の内部構成の第２の状態を正面側から模式的に示す斜視図である。
【００４６】
また、図６は、本発明の一実施の形態である演出用役物装置の内部構成の一部を背面側から模式的に示す斜視図であり、図７は、図５ＡにおけるＡ部を拡大して示す拡大斜視図であり、図８は、図５ＡにおけるＢ部を拡大して示す拡大斜視図である。
【００４７】
図５Ａ、図５Ｂ、図５Ｃ、図６、図７及び図８に例示されるように、本実施の形態において、往復動機構１５は、歯車１３を挟んで互いに対向して配置され、歯車１３の回転に連動して互いに逆方向に往復移動する第１のラックギヤ２０及び第２のラックギヤ４０を有して構成されている。
【００４８】
具体的には、往復動機構１５の一方を構成する第１のラックギヤ２０は、ケース体１４の裏面側に設けられている。そして、第１のラックギヤ２０は、略棒形状をなして形成され、ケース体１４の左右方向に沿って配置されている。
【００４９】
この第１のラックギヤ２０には、歯車１３と噛合する第１の噛合部２１が形成されている。この第１の噛合部２１は、ケース体１４を正面視すると、上方を向いて形成されている。このため、第１のラックギヤ２０は、歯車１３の回転に連動して、ケース体１４の左右方向に沿って往復移動可能に設けられている。
【００５０】
また、往復動機構１５の他方を構成する第２のラックギヤ４０は、第１のラックギヤ２０と同様にケース体１４の裏面側に設けられている。そして、第２のラックギヤ４０は、一部が屈曲した略棒形状をなして形成され、ケース体１４の左右方向に沿って配置されている。
【００５１】
この第２のラックギヤ４０にも、第１のラックギヤ２０と同様に、歯車１３に噛合する第１の噛合部４１が形成されている。この第１の噛合部４１は、ケース体１４を正面視すると、下方を向いて形成されている。すなわち、第１のラックギヤ２０の第１の噛合部２１と第２のラックギヤ４０の第１の噛合部４１とは、歯車１３を挟んで互いに対向して配置されている。
【００５２】
このため、第１のラックギヤ２０及び第２のラックギヤ４０は、歯車１３の回転に連動して、ケース体１４の左右方向に沿って、互いに逆方向に向かって往復移動可能に設けられている。
【００５３】
このように、本実施の形態の往復動機構１５は、歯車１３を挟んで互いに対向して配置され、歯車１３の回転に連動して互いに逆方向に往復移動可能な第１のラックギヤ２０及び第２のラックギヤ４０を備えることで、モータ１２の駆動力を均一に受けることが可能になる。
【００５４】
なお、本実施の形態の往復動機構１５は、上述したように、第１のラックギヤ２０及び第２のラックギヤ４０の二つのラックギヤを有して構成されているが、これに限定されず、例えば、一つのラックギヤに第１のラックギヤ２０の第１の噛合部２１及び第２のラックギヤ４０の第１の噛合部４１に相当する噛合部を形成して、一つのラックギヤにより構成しても良い。
【００５５】
本実施の形態において、往復動機構１５の一方を構成する第１のラックギヤ２０には、歯車１３に噛合する第１の噛合部２１に加えて、この第１の噛合部２１と同方向に沿って配置されるとともに、第１の噛合部２１に対して直交して配置され、後述するリンク部材３０を介して装飾片１１Ｌに係合する第２の噛合部２２が形成されている。
【００５６】
この第２の噛合部２２は、上述したように、第１の噛合部２１と同方向に沿って形成されている。このため、第２の噛合部２２は、歯車１３の回転に連動してケース体１４の左右方向に沿って往復移動可能に設けられている。
【００５７】
そして、第２の噛合部２２は、第１の噛合部２１に対して直交した位置に形成されている。このため、第２の噛合部２２は、歯車１３の回転に連動してケース体１４の表面側で左右方向に沿って往復移動可能に設けられている。
【００５８】
また、往復動機構１５の他方を構成する第２のラックギヤ４０にも、第１のラックギヤ２０と同様に、歯車１３に噛合する第１の噛合部４１に加えて、この第１の噛合部４１と同方向に沿って配置されるとともに、第１の噛合部４１に対して直交して配置され、後述するリンク部材５０を介して装飾片１１Ｒに係合する第２の噛合部４２が形成されている。
【００５９】
この第２のラックギヤ４０の第２の噛合部４２も、第１の噛合部４１と同方向に沿って形成されている。このため、第２の噛合部４２も、歯車１３の回転に連動してケース体１４の左右方向に沿って往復移動可能に設けられている。
【００６０】
そして、第２の噛合部４２も第１の噛合部４１に対して直交した位置に形成されている。このため、第２の噛合部４２も歯車１３の回転に連動してケース体１４の表面側で左右方向に沿って往復移動可能に設けられている。
【００６１】
これら第１のラックギヤ２０の第２の噛合部２２及び第２のラックギヤ４０の第２の噛合部４２には、上述したように、それぞれ、後述するリンク部材３０及びリンク部材５０を介して装飾部１１を構成する装飾片１１Ｌ及び装飾片１１Ｒが係合して設けられている。
【００６２】
装飾片１１Ｌ及び装飾片１１Ｒは、上述したように、リンク部材３０及びリンク部材５０を介して第１のラックギヤ２０の第２の噛合部２２及び第２のラックギヤ４０の第２の噛合部４２に係合して設けられている。
【００６３】
装飾部１１の一方を構成する装飾片１１Ｌと往復動機構１５の一方を構成する第１のラックギヤ２０との間に位置するリンク部材３０は、このリンク部材３０の一端側に配置され、第２の噛合部２２に噛合する外歯車３１と、リンク部材３０の他端側に配置され、後述する第１のローラピン３５に係合する係合孔３２とを有して構成されている。
【００６４】
リンク部材３０の外歯車３１は、上述したように、リンク部材３０の一端側に配置され、第２の噛合部２２に噛合している。このリンク部材３０の外歯車３１の回転軸は、ケース体１４に固着された連結ピン３３に連結されている。
【００６５】
このため、リンク部材３０は、第１のラックギヤ２０の往復移動に連動してリンク部材３０の一端側である外歯車３１の回転軸を軸にしてリンク部材３０の他端側である係合孔３２を円弧状に往復移動可能にしている。
【００６６】
ここで、第１のラックギヤ２０には、第２の噛合部２２とリンク部材３０の外歯車３１との噛合部をケース体１４の裏面側から目視可能な開口部１６が形成されている。このように、第１のラックギヤ２０に第２の噛合部２２と外歯車３１との噛合部を目視可能な開口部１６が形成されることで、第２の噛合部２２と外歯車３１とを組み付ける際、容易に組み付けることができる。
【００６７】
リンク部材３０の係合孔３２は、平面視すると、楕円形状をなして形成されている。なお、本実施の形態の係合孔３２は、楕円形状をなして形成されているが、この形状に限定されず、例えば、円形状などで形成しても良い。
【００６８】
そして、装飾部１１の一方を構成する装飾片１１Ｌの裏面側には、リンク部材３０の係合孔３２を往復移動可能に支持する摺動孔３４が形成されている。具体的には、摺動孔３４には、係合孔３２を摺動孔３４上で摺動可能に支持する第１のローラピン３５と、この第１のローラピン３５に一体に形成され、第１のローラピン３５とともに摺動孔３４内を摺動する第２のローラピン３６とが収容されている。
【００６９】
第１のローラピン３５及び第２のローラピン３６は、ケース体１４の上下方向に沿って回転する回転軸を有している。そして、第１のローラピン３５は、摺動孔３４の上方面より突出して設けられている。このため、係合孔３２は、摺動孔３４の上方面より突出して設けられた第１のローラピン３５に係合している。
【００７０】
また、装飾部１１の他方を構成する装飾片１１Ｒと往復動機構１５の他方を構成する第２のラックギヤ４０との間に位置するリンク部材５０も、リンク部材３０と同様に、このリンク部材５０の一端側に配置され、第２の噛合部４２に噛合する外歯車５１と、リンク部材５０の他端側に配置され、後述する第１のローラピン５５に係合する係合孔５２とを有して構成されている。
【００７１】
リンク部材５０の外歯車５１も、リンク部材３０と同様に、リンク部材５０の一端側に配置され、第２の噛合部４２に噛合している。このリンク部材５０の外歯車５１の回転軸は、ケース体１４に固着された連結ピン５３に連結されている。
【００７２】
このため、リンク部材５０も、第２のラックギヤ４０の往復移動に連動してリンク部材５０の一端側である外歯車５１の回転軸を軸にしてリンク部材５０の他端側である係合孔５２を円弧状に往復移動可能にしている。
【００７３】
ここで、第２のラックギヤ４０にも、第１のラックギヤ２０と同様に、第２の噛合部４２とリンク部材５０の外歯車５１との噛合部をケース体１４の裏面側から目視可能な開口部１７が形成されている。このように、第２のラックギヤ４０に第２の噛合部４２と外歯車５１との噛合部を目視可能な開口部１７が形成されることで、第２の噛合部４２と外歯車５１とを組み付ける際、容易に組み付けることができる。
【００７４】
リンク部材５０の係合孔５２も、リンク部材３０の係合孔３２と同様に、平面視すると、楕円形状をなして形成されている。なお、本実施の形態の係合孔５２も、楕円形状をなして形成されているが、この形状に限定されず、例えば、円形状などで形成しても良い。
【００７５】
そして、装飾部１１の他方を構成する装飾片１１Ｒの裏面側には、リンク部材５０の係合孔５２を往復移動可能に支持する摺動孔５４が形成されている。具体的には、摺動孔５４には、係合孔５２を摺動孔５４上で摺動可能に支持する第１のローラピン５５と、この第１のローラピン５５に一体に形成され、第１のローラピン５５とともに摺動孔５４内を摺動する第２のローラピン５６とが収容されている。
【００７６】
第１のローラピン５５及び第２のローラピン５６は、ケース体１４の上下方向に沿って回転する回転軸を有している。そして、第１のローラピン５５は、摺動孔５４の上方面より突出して設けられている。この摺動孔５４の上方面より突出した部位に係合孔５２が係合している。
【００７７】
このように、歯車１３の回転に連動して、第１のラックギヤ２０及び第２のラックギヤ４０が遊技盤１００の左右方向に沿って往復移動することで、これら第１のラックギヤ２０及び第２のラックギヤ４０に噛合して配置されたリンク部材３０及びリンク部材５０の往復移動を可能にしている。
【００７８】
そして、第１のラックギヤ２０及び第２のラックギヤ４０のそれぞれに、リンク部材３０及びリンク部材５０を介して装飾片１１Ｌ及び装飾片１１Ｒが係合して設けられているため、装飾片１１Ｌ及び装飾片１１Ｒは、モータ１２の駆動力を均一に受けることが可能になる。
【００７９】
よって、本実施の形態によれば、装飾片１１Ｌ及び装飾片１１Ｒの離接動作のバラつきを抑えることができる。また、第１のラックギヤ２０及び第２のラックギヤ４０を遊技盤１００の盤面に沿って配すことが可能になることで、遊技盤１００の盤面の奥行きを厚くすることなく、互いに離接可能なリンク部材３０及びリンク部材５０にモータ１２の動力を均一に伝達することができる。
【００８０】
次に、本実施の形態の演出用役物装置１０の動作について、図５Ａ、図５Ｂ及び図５Ｃを用いて説明する。図５Ａ、図５Ｂ及び図５Ｃに例示されるように、遊技状況に応じてモータ１２が駆動する。そして、モータ１２の駆動に起因して、このモータ１２の駆動軸に連結された歯車１３が回転する。
【００８１】
これに伴い、第１のラックギヤ２０及び第２のラックギヤ４０がケース体１４の左右方向に沿って互いに逆方向に移動する。このとき、第１のラックギヤ２０及び第２のラックギヤ４０には、モータ１２の駆動力が歯車１３を介して伝達されているため、モータ１２の駆動力が均一に伝達されている。
【００８２】
そして、第１のラックギヤ２０がケース体１４の左右方向に沿って往復移動することで、この第１のラックギヤ２０の第２の噛合部２２に噛合して配置されたリンク部材３０の係合孔３２が連結ピン３３を軸にして円弧状に往復移動する。リンク部材３０の係合孔３２は、装飾片１１Ｌの摺動孔３４内に収容された第１のローラピン３５に係合しているため、第１のローラピン３５とともに摺動孔３４内を摺動する。
【００８３】
また、第２のラックギヤ４０がケース体１４の左右方向に往復移動することで、この第２のラックギヤ４０の第２の噛合部４２に噛合して配置されたリンク部材５０の係合孔５２が連結ピン５３を軸にして円弧状に往復移動する。リンク部材５０の係合孔５２は、装飾片１１Ｒの摺動孔５４内に収容された第１のローラピン５５に係合しているため、第１のローラピン５５とともに摺動孔５４内を摺動する。
【００８４】
これにより、装飾片１１Ｌ及び装飾片１１Ｌが第１の状態から第２の状態に移動する。このとき、本実施の形態の演出用役物装置１０は、モータ１２の駆動力を高速回転させて、装飾部１１の移動速度を速めることができる。また、モータ１２を停止させて、装飾部１１を止めることができる。すなわち、装飾部１１の移動速度及び移動距離を調節することができる。
【００８５】
このように、モータ１２の駆動力を第１のラックギヤ２０及び第２のラックギヤ４０を介して、装飾片１１Ｌ及び装飾片１１Ｒに伝えることで、装飾部１１をよりスムーズに移動させることができる。
【００８６】
以上のように、本実施の形態によれば、装飾部１１を構成する複数の装飾片１１Ｌ、装飾片１１Ｒにモータ１２の動力を均一に伝達することで、複数の装飾片１１Ｌ、装飾片１１Ｒの可動するタイミングのバラつきを抑えることができる。
【符号の説明】
【００８７】
１０      演出用役物装置
１１      装飾部
１１Ｌ    装飾片
１１Ｒ    装飾片
１２      モータ（駆動源）
１３      歯車
１４      ケース体
１５      往復動機構
１６      開口部
１７      開口部
２０      第１のラックギヤ
２１      第１の噛合部
２２      第２の噛合部
３０      リンク部材
３１      一端（歯車）
３２      他端（孔）
３３      ピン
３４      摺動孔
３５      第１のローラピン
３６      第２のローラピン
４０      第２のラックギヤ
４１      第１の噛合部
４２      第２の噛合部
５０      リンク部材
５１      一端（歯車）
５２      他端（孔）
５３      ピン
５４      摺動孔
５５      第１のローラピン
５６      第２のローラピン
１００      遊技盤
１０１      遊技領域
１０２      遊技面
１０３      外ガイドレール
１０４      飾り部材
１０５      表示装置
１０６      傾斜面
１０７      内ガイドレール
１０８      ガイド通路
【図１Ａ】
0005119298.tif 000002
【図１Ｂ】
0005119298.tif 000003
【図２】
0005119298.tif 000004
【図３】
0005119298.tif 000005
【図４】
0005119298.tif 000006
【図５Ａ】
0005119298.tif 000007
【図５Ｂ】
0005119298.tif 000008
【図５Ｃ】
0005119298.tif 000009
【図６】
0005119298.tif 000010
【図７】
0005119298.tif 000011
【図８】
0005119298.tif 000012